(57)【要約】【課題】  コンクリートの壁面に取付け対象物を簡単に強固に固定することができるようにしたコンクリート用釘を提供することである。【解決手段】先端に至る従って小径となるテーパ軸部１の小径端に砲弾状の先端軸部２を連設し、テーパ軸部１の大径端に係止軸部４と、その係止軸部４の端部に頭部５を連設する。係止軸部４を、頭部５側が大径端とされる皿形の複数の抜止め突起部４ａを軸方向に連続させた構成とする。壁面に形成された下孔１０に対する打ち込みによって取付け対象物Ｂを固定し、下孔１０の内周面に対するテーパ軸部１の外周面の密着と、抜止め突起部４ａの外周のエッジｅの係合により抜止め状態を維持して固定状態を保持する。【選択図】図１
2008180340.tif 000002
【特許請求の範囲】
【請求項１】
先端に至る従って小径となるテーパ軸部と、そのテーパ軸部の小径端から放物線を描くようにして滑らかに連設された砲弾状の先端軸部と、前記テーパ軸部の大径端に連設された係止軸部と、その係止軸部の端部に連設された頭部とを有し、前記係止軸部が、頭部側を大径端とし、その大径端の外径がテーパ軸部の大径端より大径の皿形の複数の抜止め突起部を軸方向に連続させた構成からなるコンクリート用釘。
【請求項２】
前記抜止め突起部の大径端の外径を、テーパ軸部側の抜止め突起部から頭部側の抜止め突起部に至るに従って次第に大きくした請求項１に記載のコンクリート用釘。
【請求項３】
前記係止軸部と頭部との間に、テーパ軸部の大径端と略同径のストレート軸部を形成した請求項１又は２に記載のコンクリート用釘。
【請求項４】
先端に至る従って小径となるテーパ軸部と、そのテーパ軸部の小径端から放物線を描くようにして滑らかに連設された砲弾状の先端軸部と、前記テーパ軸部の大径端に連設された係止軸部と、その係止軸部の端部に連設された頭部とを有し、前記係止軸部の外周に頭部側のフランクを平面とし、外径がテーパ軸部の大径端より少し大径のノコ歯ねじを形成したコンクリート用釘。
【発明の詳細な説明】
【技術分野】
【０００１】
この発明は、コンクリートや気泡コンクリートから成る壁面に各種の取付け対象物を固定する際に用いるコンクリート用釘に関するものである。
【背景技術】
【０００２】
一般に、コンクリート壁面に対する取付け対象物の固定にはアンカーが用いられる。アンカーとして、スリーブと、そのスリーブの一端部内に小径端部が挿入されたコーンとからなり、上記スリーブにはその一端から軸方向に延びる複数のスリットを周方向に間隔をおいて形成し、スリーブの他端部内周には雌ねじを設けたものが従来から知られている。
【０００３】
上記のアンカーにおいては、コンクリート壁面に形成された下孔内にスリーブを、その一端部内に挿入されたコーンを先にして挿入し、そのコーンの先端が下孔の底に当接する状態において、コンクリート壁面から外部に突出するスリーブの端部を叩打し、上記コーンがスリーブの一端部内に進入するクサビ作用によりスリット間に形成された弾性片を外径側に押し拡げ、下孔の内径面に対する弾性片の接触圧力によってスリーブを固定し、そのスリーブの他端部内周に形成された雌ねじに対するボルトのねじ込みによって取付け対象物を固定するようにしている。
【発明の開示】
【発明が解決しようとする課題】
【０００４】
ところで、アンカーを採用する取付け対象物の固定においては、上記のように、下孔にスリーブを挿入し、スリーブの端部を叩打してスリーブを固定した後、スリーブの雌ねじにボルトをねじ係合して締付ける必要があるため、取付け対象物の固定に非常に手間がかかり、しかも、アンカーはスリーブとコーンからなる高価なものであるため、取付けコストも高いという不都合がある。
【０００５】
この発明の課題は、取付け対象物を簡単に強固に固定することができるようにしたコンクリート用釘を提供することである。
【課題を解決するための手段】
【０００６】
上記の課題を解決するために、第１の発明においては、先端に至る従って小径となるテーパ軸部と、そのテーパ軸部の小径端から放物線を描くようにして滑らかに連設された砲弾状の先端軸部と、前記テーパ軸部の大径端に連設された係止軸部と、その係止軸部の端部に連設された頭部とを有し、前記係止軸部が、頭部側を大径端とし、その大径端の外径がテーパ軸部の大径端より大径の皿形の複数の抜止め突起部を軸方向に連続させた構成からなる構成を採用したのである。
【０００７】
上記の構成からなるコンクリート用釘においては、コンクリートの壁面に形成された下孔に対する打ち込みによって取付け対象物を固定する。このとき、下孔はテーパ軸部の小径端の外径に略等しい内径としておき、その下孔に対するコンクリート用釘の打ち込みによって、テーパ軸部の外周面の全体が下孔に強く密着すると共に、係止軸部を形成する複数の抜止め突起部の大径端における外周のエッジが下孔との接触により打ち込み方向と逆方向に弾性変形し、その復元弾性で下孔の内周に係合し、上記テーパ軸部の密着と抜止め突起部の外周のエッジの係合によりコンクリート用釘が抜止めされ、取付け対象物は固定状態に保持される。
【０００８】
上記のようなコンクリート用釘の打ち込みによる取付け対象物の固定に際し、各抜止め突起部の外周囲のＶ形環状溝に接着剤を塗布しておくと、その接着剤によってコンクリート用釘は固着されるため、極めて大きな引抜き耐力を得ることができ、強固な固定状態を得ることができる。
【０００９】
ここで、軸心に対するテーパ軸部のテーパ状外周面のテーパ角度が大きくなり過ぎると、打ち込みに大きな叩打力を必要とすると共に、テーパ軸部の進入時にコンクリートに割れを生じる場合があるため、上記テーパ角度は０．１°乃至２．０°の範囲とするのが好ましい。
【００１０】
この発明に係るコンクリート用釘において、抜止め突起部の大径端の外径を、テーパ軸部側の抜止め突起部から頭部側の抜止め突起部に至るに従って次第に大きくすると、複数の抜止め突起部のそれぞれの大径端における外周のエッジが下孔の内周に確実に係合することになるため、引抜き耐力の向上を図ることができ、取付け対象物をより強固に固定することができる。
【００１１】
また、係止軸部と頭部との間に、テーパ軸部の大径端と略同径のストレート軸部を形成すると、厚みのある取付け対象物を固定することができる。
【００１２】
上記の課題を解決するために、第２の発明においては、先端に至る従って小径となるテーパ軸部と、そのテーパ軸部の小径端から放物線を描くようにして滑らかに連設された砲弾状の先端軸部と、前記テーパ軸部の大径端に連設された係止軸部と、その係止軸部の端部に連設された頭部とを有し、前記係止軸部の外周に頭部側のフランクを平面とし、外径がテーパ軸部の大径端より少し大径のノコ歯ねじを形成した構成を採用したのである。
【００１３】
上記の構成からなるコンクリート用釘においては、第１の発明に係るコンクリート用釘と同様に、コンクリートの壁面に形成された下孔に対する打ち込みによって取付け対象物を固定する。このとき、下孔はテーパ軸部の小径端の外径に略等しい内径としておき、その下孔に対するコンクリート用釘の打ち込みによって、テーパ軸部の外周面の全体が下孔に強く密着すると共に、係止軸部に形成したノコ歯ねじのねじ山の頂が下孔との接触により打ち込み方向と逆方向に弾性接触し、その復元弾性により下孔の内周に係合し、上記テーパ軸部の密着とねじ山の頂の係合によりコンクリート用釘が抜止めされ、取付け対象物は固定状態に保持される。
【発明の効果】
【００１４】
上記のように、第１の発明に係るコンクリート用釘においては、コンクリートの壁面に形成された下孔に打ち込む作業によって取付け対象物を簡単に能率よく固定することができ、しかも、打ち込み状態でテーパ軸部のテーパ状外周面の全体が下孔の内周面に密着し、また、複数の抜止め突起部の大径端における外周のエッジが下孔の内周面に係合するため、大きな引抜き耐力が得られ、取付け対象物を安定よく、強固に固定することができる。
【００１５】
また、第２の発明に係るコンクリート用釘においても第１の発明に係るコンクリート用釘と同様に、コンクリートの壁面に形成された下孔に打ち込む作業によって取付け対象物を簡単に能率よく固定することができ、しかも、打ち込み状態でテーパ軸部のテーパ状外周面の全体が下孔の内周面に密着し、また、係止軸部の外周に形成したノコ歯ねじのねじ山の頂が下孔の内周面に係合するため、大きな引抜き耐力が得られ、取付け対象物を安定よく、強固に固定することができる。
【発明を実施するための最良の形態】
【００１６】
以下、この発明の実施の形態を図面に基いて説明する。図１および図２はこの発明に係るコンクリート用釘の第１の実施の形態を示す。図示のように、テーパ軸部１は先端に至る従って小径となり、そのテーパ軸部１の小径端に砲弾状の先端軸部２が、連設部位に角が形成されないように滑らかに連設されている。
【００１７】
テーパ軸部１の大径端には、その大径端と同径の丸軸部３が連設され、その丸軸部３の端部に係止軸部４が連設され、かつ、係止軸部４に頭部５が連設され、全体がステンレス、鉄、アルミニウム等の金属で形成されている。
【００１８】
係止軸部４は、頭部５側を大径端とする皿形の複数の抜止め突起部４ａを軸方向に連続させた構成からなり、その複数の抜止め突起部４ａの大径端の外径は、丸軸部３側の抜止め突起部４ａから頭部側の抜止め突起部４ａに至るに従って次第に大きくなっており、上記丸軸部３側の抜止め突起部４ａの大径端の外径は、その丸軸部３の外径よりやや大径とされている。
【００１９】
ここで、頭部５は、図１では丸頭を示したが、形状は任意であり、なべ頭、平頭、丸平頭、皿頭、丸皿頭のいずれでもよい。その頭部５には打ち込み工具の係合孔６が形成されている。
【００２０】
第１の実施の形態で示すコンクリート用釘は上記の構造からなり、コンクリートの壁面に対する取付け対象物の取付けに際しては、図３に示すように、壁面Ａに取付け対象物Ｂに設けられた取付け孔ｂと対向する位置に下孔１０を形成し、その下孔１０にコンクリート用釘を打ち込むようにする。
【００２１】
この場合、壁面Ａには、テーパ軸部１の小径端の外径と略同径の下孔１０を形成する。その下孔１０に対するコンクリート用釘の打ち込みによって、テーパ軸部１の外周面の全体が下孔１０に強く密着すると共に、係止軸部４を形成する複数の抜止め突起部４ａの大径端における外周のエッジｅが打ち込み方向と逆方向に弾性変形し、その復元弾性により下孔１０の内周に係合する。
【００２２】
このとき、複数の抜止め突起部４ａは、丸軸部３側に位置する抜止め突起部４ａから頭部５側に位置する抜止め突起部４ａに至るに従って大径とされているため、複数の抜止め突起部４ａのそれぞれの大径端における外周のエッジｅが下孔１０の内周に係合することになり、各エッジｅの係合とテーパ軸部１の密着とに
よりコンクリート用釘が抜止めされ、取付け対象物Ｂは固定状態に保持される。
【００２３】
ここで、図１に示すように、テーパ軸部１の軸心に対するテーパ軸部１のテーパ状外周面のテーパ角度αが大きくなり過ぎると、打ち込みに大きな叩打力を必要とすると共に、テーパ軸部１の進入時にコンクリートに割れを生じる場合があるため、上記テーパ角度αは０．１°乃至２．０°の範囲とするのが好ましい。
【００２４】
上記のように、第１の実施の形態で示すコンクリート用釘においては、下孔１０に打ち込むことによって取付け対象物Ｂを固定することができるため、取付け対象物Ｂを簡単に能率よく固定することができ、しかも、打ち込み状態でテーパ軸部１のテーパ状外周面の全体が下孔１０の内周面に密着し、また、複数の抜止め突起部４ａの大径端における外周のエッジｅが下孔１０の内周面に係合するため、大きな引抜き耐力が得られ、取付け対象物Ｂを安定よく、強固に固定することができる。
【００２５】
図４はこの発明に係るコンクリート用釘の第２の実施の形態を示す。この実施の形態では、係止軸部４と頭部５との間に丸軸部３と同径のストレート軸部７を設けている点で第１の実施の形態で示すコンクリート用釘と相違する。このため、第１の実施の形態と同一の部分には同一の符号を付して説明を省略する。
【００２６】
第２の実施の形態で示すように、ストレート軸部７を設けることによって、図５に示すように、厚みのある取付け対象物Ｂを固定することができる。
【００２７】
図６および図７は、この発明に係るコンクリート用釘の第３の実施の形態を示す。この実施の形態では、係止軸部４の外周に頭部５側のフランクを平面とし、外径がテーパ軸部１の大径端より少し大径のノコ歯ねじ８を形成している点で第１の実施の形態で示すコンクリート用釘と相違している。このため、第１の実施の形態で示す部分と同一の部分については同一の符号を付して説明を省略する。
【００２８】
上記の構成からなるコンクリート用釘においても、第１の実施の形態で示すコンクリート用釘と同様に、コンクリートの壁面Ａに形成された下孔１０に対する打ち込みによって取付け対象物Ｂを固定する。その下孔１０に対するコンクリート用釘の打ち込みによって、テーパ軸部１の外周面の全体が下孔１０に強く密着すると共に、係止軸部４に形成したノコ歯ねじ８のねじ山の頂ｃが下孔との接触により打ち込み方向と逆方向に弾性変形し、その復元弾性により下孔１０の内周に係合し、上記テーパ軸部１の密着とねじ山の頂ｃの係合によりコンクリート用釘が抜止めされ、取付け対象物Ｂは固定状態に保持される。
【００２９】
ここで、ノコ歯ねじ８におけるねじ山の外径を丸軸部３側から頭部５側に至るに従って次第に大きくなるようしておくことによって、ねじ山の頂ｃが全長にわたって下孔１０の内周に係合するため、大きな引抜き耐力を得ることができる。
【００３０】
なお、第３の実施の形態で示すコンクリート用釘においては、頭部５に形成した係合孔６をドライバ等の回転工具が係合可能な形状として、ねじ込みによって固定するようにしてもよい。
【００３１】
実施の形態では、コンクリートからなる壁面Ａに下孔１０を形成し、その下孔１０にコンクリート用釘を打ち込んで取付け対象物Ｂを固定する例を説明したが、コンクリート用釘を打ち込む壁面Ａはコンクリートに限定されるものではない。例えば、気泡コンクリート材（ＡＬＣ材）に打ち込んで取付け対象物Ｂを固定するようにしてもよい。この場合、コンクリート用釘をＡＬＣ材に直接打ち込むようにしてもよく、あるいは、ＡＬＣ材に下孔を穿設し、その下孔に打ち込むようにしてもよい。
【００３２】
なお、コンクリート用釘の打ち込みに際し、抜止め突起部４ａの外周やノコ歯ねじ８の外周に接着剤を塗布しておくことにより、より大きな引抜き耐力を得ることができる。
【図面の簡単な説明】
【００３３】
【図１】この発明に係るコンクリート用釘の第１の実施の形態を示す一部切欠正面図
【図２】図１に示すコンクリート用釘の係止軸部の一部を拡大して示す正面図
【図３】取付け対象物の固定状態を示す断面図
【図４】この発明に係るコンクリート用釘の第２の実施の形態を示す一部切欠正面図
【図５】図４で示すコンクリート用釘によって取付け対象物を固定した状態の断面図
【図６】この発明に係るコンクリート用釘の第３の実施の形態を示す一部切欠正面図
【図７】図６に示すコンクリート用釘の係止軸部の一部を拡大して示す正面図
【符号の説明】
【００３４】
１    テーパ軸部
２    先端軸部
４    係止軸部
４ａ  抜止め突起部
５    頭部
７    ストレート軸部
８    ノコ歯ねじ
【図１】
2008180340.tif 000003
【図２】
2008180340.tif 000004
【図３】
2008180340.tif 000005
【図４】
2008180340.tif 000006
【図５】
2008180340.tif 000007
【図６】
2008180340.tif 000008
【図７】
2008180340.tif 000009